(57)【要約】      （修正有）【課題】写真などの被写体を、煩雑な取扱いを要せず、かつ画質を低下させることなく撮影する方法、および撮影補助用具を提供する。【解決手段】被写体３を視感反射率３％以下、ヘーズ１０％以下の反射防止板４に接触せしめ、該反射防止板４をとおして撮影する。【選択図】図１
2006098891.tif 000002
【特許請求の範囲】
【請求項１】
シート状の被写体を、撮影装置を用いて撮影する方法であって、前記被写体の撮影面に視感反射率が３％以下で、ヘーズが１０％以下の反射防止板を接触せしめ、該反射防止板をとおして前記被写体を撮影する撮影方法。
【請求項２】
前記撮影装置として、解像度が６９ｄｐｉ以下の撮影装置を用いて撮影することを特徴とする請求項１に記載の撮影方法。
【請求項３】
被写体に反射防止板を接触せしめて撮影するための撮影補助用具であって、前記の反射防止板は、視感反射率が３％以下、かつ、ヘーズが１０％以下であることを特徴とする撮影補助用具。
【請求項４】
被写体の角度を自由に設定できる機構を具備する請求項３に記載の撮影補助用具。
【請求項５】
前記の反射防止板には、プラスチック基板が用いられ、かつ、前記の反射防止板の有効撮像面積に対する撮影補助用具全体の重量が２ｇ／ｃｍ２以下であることを特徴とする請求項３または４に記載の撮影補助用具。
【請求項６】
前記の撮影補助用具は、反射防止板から撮影装置側に１．５ｍｍ以上の突起物を有していないことを特徴とする請求項３〜５のいずれかに記載の撮影補助用具。
【請求項７】
前記の反射防止板にはさらに背面板を具備されると共に、前記の被写体を前記反射防止板と前記背面板との間に保持する構造を有し、該被写体の保持構造は片手で保持操作が可能な構造である請求項３〜６のいずれかに記載の撮影補助用具。
【請求項８】
背面板は視感反射率が１０％以下で、被写体がずれない素材または機構を有していることを特徴とする請求項７に記載の撮影補助用具。
【請求項９】
背面板にマグネットを具備することを特徴とする請求項７または８に記載の撮影補助用具。
【請求項１０】
前記反射防止板は、プラスチック基板の撮影する側の片面若しくは該基板の両面に、ハードコート層、反射防止層、防汚層がこの順で設けられたものである請求項３〜９のいずれかに記載の撮影補助用具。
【発明の詳細な説明】
【技術分野】
【０００１】
本発明は、写真などのシート状の被写体を美麗にかつ、取扱い容易に固定して撮影する撮影方法および撮影補助用具に関する。
【背景技術】
【０００２】
テレビ番組で行方不明者の報道や、故人の紹介を行うとき、写真をＶＴＲで撮影することがあるが、写真などのシート状の被写体を撮影する場合、平らな台の上に被写体を載置して撮影したり、壁や回転式のホワイトボードに被写体を貼付けて撮影したりする場合がある。このとき、被写体が曲がっていたり、テレビ撮影などは照明の熱で被写体が曲がったり、ピン留めを行うと破損のおそれがあり、また、被写体の一部を遮蔽したり影を落としたりし、撮影の障害が多く、簡単に被写体を固定できる方法が望まれていた。
【０００３】
特許文献１には、釣魚撮影用具として釣行当日の新聞を無反射ガラスと台板に挟んでその上に釣魚を並べて撮影する方法が提案されている。該文献において、無反射ガラスは釣魚による新聞の汚染を避けるためと視認性を向上させる目的に採用されているが、表面に凹凸を設けただけの無反射ガラスでは写り込みを低減して、新聞の日付が読める程度にはなったとしても全体に白っぽくなって、写真など画像はぼやけてしまい、写真や画像の撮影に用いるには全く不十分であった。また、カメラをコピースタンドで撮影補助用具に固定するなど、テレビ撮影などには全く使えないものであった。
【特許文献１】実開平７−１４３６号公報
【発明の開示】
【発明が解決しようとする課題】
【０００４】
本発明は、写真などの被写体を撮影する場合、撮影される画像の画質にほとんど影響することなく撮影が可能であり、かつ、上記の様な不便さを解消する撮影方法を提供せんとするものであり、また、その方法を実現する撮影補助用具を提供せんとするものである。
【課題を解決するための手段】
【０００５】
本発明は、上記課題を解決するため下記の構成を有する。
（１）シート状の被写体を、撮影装置を用いて撮影する方法であって、前記被写体の撮影面に視感反射率が３％以下で、ヘーズが１０％以下の反射防止板を接触せしめ、該反射防止板をとおして前記の被写体を撮影する撮影方法、
（２）前記撮影装置として、解像度が６９ｄｐｉ以下の撮影装置を用いて撮影する撮影方法、
（３）前記（１）記載の撮影方法に用いる撮影補助用具であり、被写体の角度調整、持ち運び易さなど、種々の機能を付与した態様、である。
【発明の効果】
【０００６】
本発明によれば、撮影された画像の画質をほとんど低下させることなく撮影ができ、また、被写体の取扱いを著しく向上させ、撮影時の煩わしい状態を解消することができる。
【発明を実施するための最良の形態】
【０００７】
本発明の撮影方法は、被写体撮影面に視感反射率が３％以下で、ヘーズが１０％以下の反射防止板を被写体に接触せしめて撮影する。かかる反射防止された前面板は、撮影画像の画質をほとんど低下させることなく、外光の反射や写り込みを大幅に低減することができる。屋外やテレビ撮影などの照度が２００００ｌｘを越える様な環境で撮影する場合は視感反射率が１％以下、ヘーズが５〜８％のものを用いるとさらに好ましい。反射防止板の詳しい作製方法は後述するが、反射防止板はプラスチック板などにノングレア処理と反射防止層がコートされており、ノングレア処理の程度によりヘーズを、反射防止層の設計により視感反射率を変えることができる。ノングレア処理は反射光を散乱させ、写り込みを解消することができるが、それのみであると反射自体は減少しないので透過像は白っぽくなってしまい、さらにその程度が高すぎると光の散乱によって撮影された画像の画質自体を低下させることがある。反射防止層を設けることで白っぽさの原因となる反射は低減することができ、その結果、コントラストが向上して非常にくっきりと撮影することができる。
【０００８】
解像度が６９ｄｐｉ以下の撮影装置で被写体を撮影する場合、撮影装置自体の解像度には反射防止板による解像度への影響が殆ど反映されないため、画質の低下を招くことなく撮影することができる。ここで、解像度とは、撮影された細かいパターンなどの画像をどこまで認識できるかを表す度合いで、デジタルカメラなどの撮影装置においては画素数（ピクセル）で表され、アナログ装置においてはスキャン本数などとして読みかえることができる。しかしながら、解像度は被写体サイズ（撮影範囲）に依存するため、本発明においては被写体サイズに対する撮影装置の画素数、ｄｐｉ（ドットパーインチ）を用いて撮影装置の解像度とする。
【０００９】
本発明の撮影補助用具について、図面を用いて具体的に例をあげて説明する。もちろん、本発明はこの具体例のみに限定されるものではない。
【００１０】
図１および図２は本発明の撮影補助用具の一態様である。図１は被写体を平らに固定するためのホルダーの概略図で、図２はホルダーを支持する支持台の概略図である。
【００１１】
本発明において、被写体は角度が自由に設定できることが好ましい。被写体の縦おき、横おき、あるいは、水平から垂直まで自由に設定できれば、撮影装置や光源の位置決めは容易であるし、厳しい設置条件にも対応できる。撮影装置の高さを調整しなくても角度を調整すれば被写体を正面から撮影することができるからである。
【００１２】
このため、本発明は角度調整機構を好ましく具備する。この態様を図１、２を用いてより具体的に説明すると、ホルダー１と支持台２は分離可能な構成とできる。而して被写体は縦、横自由にセット可能である。また、支持台２は３枚の心材（プレート）が連接されて構成されている態様とすると、折り曲げ角度を適宜設定することにより、自由な角度に設定できる。
【００１３】
さらに、ホルダー１の裏面にマグネットシート９を設け、支持台２の心材１０に磁性体を使用すれば、ホルダー１を垂直に立てても、安定して支持することが可能であり、また、ホルダー１をホワイトボードなどに直接貼り付けて撮影することもできる。
【００１４】
本発明の撮影補助用具は、前記のホルダー１が前記の反射防止板と背面板を具備し、被写体が反射防止板と背面板との間に保持された構造を有し、あるいは、該被写体の保持構造は片手で保持操作が可能な構造とすることが望ましい。例えば、テレビ撮影の業務用ビデオカメラは肩にかついで撮影を行う場合、いちいちカメラを置いたりせずに、被写体をセットしたり、位置を調整できれば非常に便利である。構造は特に限定するものではないが、図１を例に説明すると、反射防止板４と背面板５がその一辺で蝶番６で係合され、また、相対する辺にはマグネット７などの脱着自在に固定可能な部材を設ければ、片手で反射防止板を開け閉めできて、取扱いやすい。また、背面板にガイドを設けて反射防止板をスライド式に開け閉め可能な構造としたり、蝶番で係合された反射防止板がバネなどでワンプッシュに開く機構を具備することは好ましい態様である。
【００１５】
前記の背面板は、その被写体に接する側の面は、被写体が滑りにくい素材または機構を有しているとさらに取扱い性が向上するので好ましい。かかる素材としては、例えば、繰り返し接着可能な微粘着シートや起毛された布帛などがあげられる。また、背面板の被写体に接する側の面は反射が少ないことが好ましく、黒などの濃い色や艶消し色で、光を吸収せしめるようにすればよく、視感反射率が１０％以下のものを用いることが好ましい。
【００１６】
反射防止板の撮影装置側の面に突起物があると照明による影ができたりするので好ましくない。例えば、額縁のような態様のホルダーを作製することもできるが、額が影にならないように気をつけなければならない。突起物の高さは実質的に１．５ｍｍ以下であることが好ましい。
【００１７】
本発明の撮影補助用具は軽く、好ましくは有効撮像面積に対する撮影補助用具全体の重量が２ｇ／ｃｍ２以下であると持ち運びが容易になり便利である。反射防止板がプラスチックを基材とするものであれば軽量でガラスの様に割れることもなく、取材現場などで使用するのに好都合である。ここで有効撮像面積とは、セット可能な被写体の最大面積、すなわち反射防止板の被写体に接する側の面の面積から該反射防止板に被写体を固定する機構や支持台へ固定するための構造や背面板との係合構造などにより被写体が反射防止板に接触できない面積を除いた面積、のことである。
【００１８】
本発明の撮影補助用具に使用する反射防止板について説明する。
【００１９】
図３は反射防止板の構成の例をしめす概略断面図である。本発明に用いる反射防止板に用いる基板は、光透過性を有する基板１３であり、好ましくは可視光の透過率が９５％以上で無色であるものがよい。９５％以上とすることで被写体の色調に影響を与えることなく美麗な撮影が可能である。基板１３はプラスチック製であることが好ましく、例えば、ポリメタクリル酸樹脂、ポリカーボネート樹脂、ポリオレフィン樹脂、ポリエーテル樹脂、ポリエステル樹脂、ポリスルホン樹脂、ポリアミド樹脂、ポリスルフィド樹脂、不飽和ポリエステル樹脂、エポキシ樹脂、メラミン樹脂、フェノール樹脂、ジアリルフタレート樹脂、ポリイミド樹脂、マレイミド樹脂、ポリフォスファゼン樹脂、ウレタン樹脂、ポリ酢酸ビニル樹脂、ポリビニルアルコール樹脂、スチレン樹脂、塩化ビニル樹脂、繊維素系樹脂、ジエチレングリコールビスアリルカーボネイト重合体（ＣＲ−３９）ならびに上記各樹脂の構造単位および他の構造単位から選択されて構成された高分子からなる樹脂などが挙げられる。
【００２０】
基板には耐擦傷性の向上とその上に積層される反射防止膜の密着性を向上させるために、撮影装置側の面あるいは両面にハードコート膜１４が設けられていることが好ましい。
【００２１】
ハードコート膜に用いる材料としては、特に限定されるものではないが、熱硬化型のオルガノポリシロキサン系ハードコート材や紫外線硬化型アクリル系ハードコート材などが好ましく用いられる。特に、低コストであるという点からアクリル系樹脂のハードコート材を好適に用いることができる。さらに好ましくは、ハードコート材として、基材の屈折率と同程度の屈折率を有するものを用いることで、該膜を設けても干渉縞が見えにくくなり、撮影に有利である。
【００２２】
また、基板あるいはハードコート膜にノングレア処理を施すと、映り込みが防止されるため、好ましく施される。ここでノングレア処理とは、サンドブラス加工やエンボス加工を行ったり、基板やハードコート膜に微粒子を分散させたりして凹凸をつける処理のことである。
【００２３】
反射防止膜１５は光の干渉を利用して可視光領域の反射を低減させる作用を有している。反射防止膜１５は、単層膜でも多層膜でもよく、撮影装置側の面あるいは両面に設けても良い。反射防止膜としては、以下の２とおりの好ましい態様が挙げられる。
【００２４】
すなわち、（Ａ）屈折率が１．６〜１．９の素材からなる膜、（Ｂ）屈折率が１．９を超える素材からなる膜、（Ｃ）屈折率が１．６未満の素材からなる膜が、基板面からこの順で積層された膜として形成され、４５０〜５５０ｎｍから選ばれる任意の波長λ0において、下記式（１）、（２）、（３）または下記式（１）、（２）’、（３）を満足するものが望ましい。また、この膜を基板の両面に施せば、視感反射率を１％以下にすることができ、好ましい。
【００２５】
ｎａ×ｄａ／λ0＝０．１５〜０．３５          （１）
ｎｂ×ｄｂ／λ0＝０．１５〜０．３５          （２）
ｎｂ×ｄｂ／λ0＝０．４０〜０．６０          （２）’
ｎｃ×ｄｃ／λ0＝０．１５〜０．３５          （３）
（ここで、ｎａ，ｎｂ，ｎｃはそれぞれ膜（Ａ）、（Ｂ）、（Ｃ）の屈折率であり、ｄａ、ｄｂ、ｄｃはそれぞれ膜（Ａ）、（Ｂ）、（Ｃ）の厚みである。）
λ0は主に被写体や光源によって適宜選択されるものであるが、被写体の色調や光源の波長特性に応じて選択される。また、反射防止膜は僅かに生じる反射干渉色や作製時の安定性に鑑みて作製される。
【００２６】
すなわち、反射防止膜を構成する材料としては、例えば、Ａｌ２Ｏ３、Ｉｎ２Ｏ３、ＭｇＯ、Ｎｂ２Ｏ３、ＳｉＯ２、ＳｉＯ、ＳｎＯ２、ＴｉＯ２、Ｔａ２Ｏ５、ＷＯ３、Ｙ２Ｏ３、ＺｒＯ２、ＭｇＦ２、ＴｉＣ、ＴｉＮ、ＩＴＯ（Indium-tin oxide）等の無機物でもよく、フッ素樹脂、シリコン樹脂、アクリル樹脂など有機物でもよい。また、透明性が確保できれば、これらが混合されたものであっても構わない。要は、所望の屈折率が透明な状態で得られるものを選択すればよい。
【００２７】
また、前記の（Ａ）屈折率が１．６〜１．９の素材からなる膜、（Ｂ）屈折率が１．９を超える素材からなる膜、（Ｃ）屈折率が１．６未満の素材からなる膜のそれぞれは、単層の膜として構成しても良いが、２層以上の膜を組み合わせたコンポジット膜として屈折率が調整された膜であっても良い。
【００２８】
例えば、ある層を２層のコンポジット膜とする場合、全体としてみた屈折率ｎｃは、膜が層状に形成されることによって増大する反射率が最大になったとき（光学的膜厚：λ0／４）の反射率の最大値Ｒｍａｘから、式、ｎｃ＝（（１＋Ｒｍａｘ１／２）／（１−Ｒｍａｘ１／２））１／２によって求める。また、層構成を奇数とし、厚み中心に対して対称な位置には同一構成の膜を配置する、いわゆる等価膜として屈折率を調整することもできる。その場合、全体としてみた屈折率Ｎは、全体としてみた物理的膜厚をＤ、層数をｉ、最も外側の層から数えてｉ番目の層の屈折率をｎｉ、最も外側の層から数えてｉ番目の層の物理的膜厚をｄｉとしたとき、式、Ｎ＝（２ｎ１ｄ１＋２ｎ２ｄ２＋・・・＋２ｎ（ｉ−１）／２ｄ（ｉ−１）／２＋ｎ（ｉ＋１）／２ｄ（ｉ＋１）／２）／Ｄで所望の膜を得ることができる。
【００２９】
反射防止膜を形成する方法としては、真空蒸着法、イオンプレーティング法、スパッタリング法、ＣＶＤ法（化学的気相蒸着法）等のドライ方式や、スピン塗布法、浸漬塗布法、ロールコート法、グラビアコート法等のウェット方式を用いることができる。層によって方法を使い分けてもよい。多層膜で膜厚精度を特に要求される場合には、ドライ方式が優れている。また、真空蒸着の場合、用いる蒸着源としては電子銃加熱、誘導加熱、抵抗加熱等があるが、用いる製膜材料の性質により選択すればよい。さらに、製膜時には、水晶式膜厚計、光学式膜厚計等を用い、膜厚および成膜速度を監視する。膜の屈折率は、雰囲気の真空度や基材の加熱温度、成膜速度、イオンアシスト、酸素や窒素等のガスを導入しながら成膜する場合にはガス量等に影響されるので、これらを十分に管理する。また、基材またはハードコート膜と反射防止膜との層間密着性や反射防止膜相互の層間密着性を向上させるため、プラズマ処理、アルカリ処理、イオンボンバード等を行ってもよい。
【００３０】
また、好ましく反射防止膜１５の上に、防汚膜１６を基板の撮影装置する側の面あるいは両面に設けても良い。反射防止膜の表層に設けることで、反射防止板に手などが触れて汚れた場合であっても、クリーニングが容易で、便利である。
【００３１】
防汚膜としては、反射防止板の反射防止性能を低下させない程度に屈折率が低く、膜厚が５０ｎｍ以下、好ましくは２０ｎｍ以下に製膜されたものがよい。防汚膜を構成する材料としては、シリコン系、フッ素系の有機物は屈折率が低く、防汚性能が優れていて好ましく用いられる。
【実施例】
【００３２】
次に実施例により本発明を詳細に説明する。
【００３３】
実施例１
基材として、１面にノングレア処理として微粒子が含有されたアクリル系ハードコートが施され、もう１面には透明・平滑なアクリル系ハードコートが施された、厚さ０．８ｍｍのポリカーボネート系樹脂板（ユーピロンシートタイプ：ＨＭ１１−ＭＲ０５−５５２Ａ、三菱エンジニアリングプラスチック株式会社製）を用い、真空蒸着法にて以下の構成の反射防止膜を両面に製膜した。
【００３４】
λ０＝５００ｎｍとし、基材側から順に、
中屈折率膜：屈折率１．７４、光学的膜厚０．２８λ０
１層目（ＳｉＯ２）：屈折率１．４６、光学的膜厚０．０８λ０
２層目（ＺｒＯ２）：屈折率１．９０、光学的膜厚０．１２λ０
３層目（ＳｉＯ２）：屈折率１．４６、光学的膜厚０．０８λ０
高屈折率膜：
４層目（ＴｉＯ２）：屈折率２．２５、光学的膜厚０．４３λ０
５層目（ＩＴＯ）：屈折率２．４３、光学的膜厚０．０６λ０
低屈折率膜：
６層目（ＳｉＯ２）：屈折率１．４６、光学的膜厚０．２７λ０
さらに両面の最表層に防汚剤（ＯＦ−１１０：オプトロン社製）を物理膜厚で５〜１０ｎｍ製膜して、反射防止板を得た。
【００３５】
作製した反射防止板を測光機（ＭＣＰＤ−３０００：大塚電子社製）で視感反射率を測定した結果、０．４８％であった。また、直読ヘーズコンピュータ（ＨＧＭ−２ＤＰ：スガ試験機社製）でヘーズを測定した結果、６．１％であった。
【００３６】
比較例１
市販されている両面にノングレア処理された無反射ガラスを反射防止板として用いた。
【００３７】
該反射防止板を測光機（ＭＣＰＤ−３０００：大塚電子社製）で視感反射率を測定した結果、７．０％であった。また、直読ヘーズコンピュータ（ＨＧＭ−２ＤＰ：スガ試験機社製）でヘーズを測定した結果、２０．９％であった。
【００３８】
比較例２
実施例１で用いたハードコート処理された、厚さ０．８ｍｍのポリカーボネート系樹脂板（ユーピロンシートタイプ：ＨＭ１１−ＭＲ０５−５５２Ａ、三菱エンジニアリングプラスチック株式会社製）を反射防止板として用いた。
【００３９】
該反射防止板を測光機（ＭＣＰＤ−３０００：大塚電子社製）で視感反射率を測定した結果、７．６％であった。また、直読ヘーズコンピュータ（ＨＧＭ−２ＤＰ：スガ試験機社製）でヘーズを測定した結果、６．３％であった。
【００４０】
実施例１および比較例１、２で得た反射防止板を被写体の上に置いて、以下の条件で視認性を比較した。結果を表１に示す。
（１）反射特性
被写体として集合写真（写真サイズ：横１２７×縦８９（ｍｍ）、計２０名が横に最大９名並んでいる）を、屋外（照度約１７０００ｌｘ）でデジタルカメラ（ＱＶ−２３００ＵＸ：ＣＡＳＩＯ社製、解像度：およそ５０ｄｐｉ）。撮影した写真の反射の具合を観察した。
（２）解像度特性
被写体としてスクリーン線数メーター（印刷学会出版部）を用い、照度５０００ｌｘの環境でデジタルカメラ（ＱＶ−２３００ＵＸ：ＣＡＳＩＯ社製、解像度１６００×１２００ピクセル）にてピントを合わせて撮影し、線のボケ具合を観察した。被写体サイズは長手方向におよそ９１ｍｍ（６９ｄｐｉ）、と同７９ｍｍ（８０ｄｐｉ）とした。
【００４１】
【表１】
2006098891.tif 000003
【図面の簡単な説明】
【００４２】
【図１】本発明のホルダーの構成例を表した概略図である。
【図２】本発明の支持台の構成例を表した概略図である。
【図３】本発明の反射防止板の構成例を表した概略図である。
【符号の説明】
【００４３】
１：ホルダー
２：支持台
３：被写体
４：反射防止板
５：背面板
６：蝶番
７：マグネット
８：滑り止め
９：マグネットシート
１０〜１２：心材
１３：基板
１４：ハードコート膜
１５：反射防止膜
１６：防汚膜
【図１】
2006098891.tif 000004
【図２】
2006098891.tif 000005
【図３】
2006098891.tif 000006